(57)【要約】      （修正有）【課題】取り外し、取り付けが便利で、自動車の雰囲気を簡単に変えることができる自動車用装飾品を提供する。【解決手段】装飾模様を備える少なくとも装飾管１０、及び装飾管１０両端に蓋をして自動車棒体１００に定位する固定装置２０を備え、さらに装飾管１０周囲に嵌設し、空洞部３１を備えるデザイン管３０を備え、使用者は自分自身で固定装置２０を簡単に取り外すことができ、装飾管１０、デザイン管３０の交換は簡単で、自動車用装飾品が表現する風貌を取替えることができる。【選択図】図４
0003152753.tif 000002
【実用新案登録請求の範囲】
【請求項１】
少なくとも装飾管、及び前記装飾管両端に蓋をして自動車棒体に定位する固定装置を備え、
前記装飾管は、管状構造体、及び前記管状構造体表面を包み、しかも模様を備える表皮を備え、
前記固定装置は、前記装飾管頂点の端口に固定する頂点蓋ユニット、及び前記装飾管底部の端口に固定し、自動車棒体を挿して定位する底蓋ユニットを備えることを特徴とする自動車用装飾品。
【請求項２】
前記頂点蓋ユニットは、前記装飾管頂点の端口に蓋をする頂点蓋、及び前記頂点蓋と前記底蓋ユニットとの間に連接するボルトを備え、
前記底蓋ユニットは、前記装飾管底部の端口に蓋をし、しかも前記ボルトにより連接される底蓋、及び前記底蓋下方に設置し、固定槽を形成して、自動車棒体の端部を挿入して定位する固定台、及び前記固定台下方の外縁に設置するキャップを備えることを特徴とする請求項１に記載の自動車用装飾品。
【請求項３】
前記装飾管はさらに、前記表皮上に嵌設する少なくとも１個のアクセサリーを備え、
前記アクセサリーの背面部には、若干の嵌設柱を設置し、前記管状構造体は、前記嵌設柱に対応して、若干の嵌設孔を設置することを特徴とする請求項１に記載の自動車用装飾品。
【請求項４】
前記自動車用装飾品はさらに、前記装飾管周囲に嵌めて設置し、しかも空洞部を備えるデザイン管を備えることを特徴とする請求項１に記載の自動車用装飾品。
【請求項５】
前記デザイン管上には、光透過部品を嵌設することを特徴とする請求項４に記載の自動車用装飾品。
【請求項６】
前記デザイン管上には、光反射部品を嵌設することを特徴とする請求項４に記載の自動車用装飾品。
【請求項７】
少なくとも装飾管、及び前記装飾管両端に蓋をして自動車棒体に定位する固定装置を備え、
前記装飾管は、管状構造体、及び前記管状構造体表面を包み、しかも模様を備える表皮を備え、
前記固定装置は、前記装飾管頂点の端口に固定し、自動車棒体を通過させる頂点蓋ユニット、及び前記装飾管底部の端口に固定し、自動車棒体を通過させる底蓋ユニットを備えることを特徴とする自動車用装飾品。
【請求項８】
前記頂点蓋ユニットは、前記装飾管頂点の端口に蓋をし、しかも上穿孔を備える頂点蓋、及び前記頂点蓋内壁に嵌設し、しかも上開口部を備え、前記上穿孔と対応する上固定片を備え、
前記底蓋ユニットは、前記装飾管底部の端口に蓋をし、しかも下穿孔を備える底蓋、及び前記底蓋内壁に嵌設し、しかも下開口部を備え、前記下穿孔と対応する固定片を備えることを特徴とする請求項７に記載の自動車用装飾品。
【請求項９】
前記装飾管はさらに、前記表皮上に嵌設する少なくとも１個のアクセサリーを備え、
前記アクセサリーの背面部には、若干の嵌設柱を設置し、前記管状構造体は、前記嵌設柱に対応して、若干の嵌設孔を設置することを特徴とする請求項７に記載の自動車用装飾品。
【請求項１０】
前記自動車用装飾品はさらに、前記装飾管周囲に嵌めて設置し、しかも空洞部を備えるデザイン管を備えることを特徴とする請求項７に記載の自動車用装飾品。
【請求項１１】
前記デザイン管上には、光透過部品を嵌設することを特徴とする請求項１０に記載の自動車用装飾品。
【請求項１２】
前記デザイン管上には、光反射部品を嵌設することを特徴とする請求項１０に記載の自動車用装飾品。
【考案の詳細な説明】
【技術分野】
【０００１】
本考案は装飾品の構造に関し、特に自動車棒体上に固定可能で、独特な装飾効果を発揮することができる自動車用装飾品に関する。
【背景技術】
【０００２】
多くの人にとって、自動車は交通の手段であると同時に、自分らしさや、自分の趣味、好みを表現するものでもある。
例えば、自動車オーナーの多くは、車内に特色のある装飾品を置き、或いは吊り下げ、さらには、内装やシートの表面を交換する場合さえある。
シートの表面を、特殊な皮革や模様のものに交換し、自分らしさを表現しようとしているのである。
【０００３】
自動車を、さらに強く自分らしさを表現する手段とするため、自動車オーナーは、自動車のシフトレバーのヘッドを、特殊なものに交換することがある。
自動車内には、ヘッドレスト底部に設置するヘッドレスト挿入棒など、金属そのものの色をむき出しにした棒体が多く見られるが、それらを、遮蔽或いは装飾することができれば、より完璧な装飾効果を発揮することができる。
【０００４】
本考案は、シフトレバー、ヘッドレスト挿入棒などの自動車内棒体の装飾方法を検討し、使用者が自分自身で取り付けることができるよう考案されたものである。
【考案の概要】
【考案が解決しようとする課題】
【０００５】
本考案が解決しようとする課題は、取り外し、取り付けが便利で、自動車の雰囲気を簡単に変えることができる自動車用装飾品を提供することである。
【課題を解決するための手段】
【０００６】
上記課題を解決するため、本考案は下記の自動車用装飾品を提供する。
自動車用装飾品は、少なくとも装飾管、固定装置を備え、
該装飾管は、管状構造体、及び該管状構造体表面を包み、しかも模様を備える表皮を備え、
該固定装置は、該装飾管両端に蓋をして、シフトレバー端部、或いは自動車のヘッドレスト挿入棒などの自動車棒体に定位し、
これにより、使用者が自動車用装飾品が表現する装飾模様や、色、柄を交換しようとする時には、該装飾管を交換するだけで、自動車用装飾品全体が表現する風貌を取り替えることができ、
該自動車用装飾品の製造時には、該管状構造体、該固定装置は、それぞれモジュール化製造を行なうことができ、しかも管状構造体の表皮の模様、色、柄を変えるだけで、異なる風貌の自動車用装飾品を生産することができ、
該固定装置により、自動車用装飾品は、自動車棒体端部の上に定位され、該固定装置は、該装飾管頂点の端口に固定する頂点蓋ユニット、及び該装飾管底部の端口に固定し、自動車棒体を挿して定位する底蓋ユニットを備え、
該頂点蓋ユニットは、該装飾管頂点の端口に蓋をする頂点蓋、及び該頂点蓋と該底蓋ユニットとの間に連接するボルトを備え、
該底蓋ユニットは、該装飾管底部の端口に蓋をし、しかも該ボルトにより連接される底蓋、及び該底蓋下方に設置し、固定槽を形成して、自動車棒体の端部を挿入して定位する固定台、及び該固定台下方の外縁に設置するキャップを備え、
自動車棒体の端部を該固定槽に挿入し、該固定台上に螺設するネジを利用し、径方向に、自動車棒体端部を圧迫し、或いは螺固することができ、こうして固定の目的を達成し、
続いて、キャップを利用し、該固定台下方の外縁を塞ぎ、これにより自動車棒体上に固定する自動車用装飾品の外観は、さらに美しくなり、
この種の固定装置は、自動車用装飾品を、シフトレバーなどの自動車棒体端部に効果的に定位することができ、使用者が握ってシフトチェンジを行なう時には、適当な滑り止め効果を提供することができ、
また別種の固定装置には、自動車棒体を通して設置し、自動車用装飾品全体を自動車棒体上に嵌設可能で、これにより独特の装飾効果を表現でき、
該固定装置は、該装飾管頂点の端口に固定し、自動車棒体を通過させる頂点蓋ユニット、及び該装飾管底部の端口に固定し、自動車棒体を通過させる底蓋ユニットを備え、
該頂点蓋ユニットは、該装飾管頂点の端口に蓋をし、しかも上穿孔を備える頂点蓋、及び該頂点蓋内壁に嵌設し、しかも上開口部を備え、該上穿孔と対応する上固定片を備え、
該底蓋ユニットは、該装飾管底部の端口に蓋をし、しかも下穿孔を備える底蓋、及び該底蓋内壁に嵌設し、しかも下開口部を備え、該下穿孔と対応する固定片を備え、
自動車棒体が、上穿孔、下穿孔、上開口部、下開口部を同時に貫通すると、自動車用装飾品全体は、自動車棒体上に嵌められ、こうして自動車棒体を覆い、装飾する効果を発揮し、
上開口部と下開口部の設置により、上固定片、下固定片は、異なる口径の自動車棒体に対して、適当な挟持作用を生じ、こうして、定位効果を備える他に、振動時には、上穿孔、下穿孔が、自動車棒体に衝突して、騒音を生じることを防止し、
該装飾管はさらに、該表皮上に嵌設する少なくとも１個のアクセサリーを備え、該アクセサリーの背面部には、若干の嵌設柱を設置し、該管状構造体は、該嵌設柱に対応して、若干の嵌設孔を設置し、これにより、該アクセサリーは、より良い定位効果を得ることができ、こうしてアクセサリーの設置により、装飾管が備える風格はより際立って表現され、該装飾管周囲にはさらに、空洞部を備えるデザイン管を嵌めて設置し、該装飾管の装飾模様は、空洞部を通して外にのぞき、しかも該デザイン管は、若干の光透過部品、光反射部品を嵌設し、これにより自動車用装飾品は、よりきらびやかなデザイン形態を呈する。
【考案の効果】
【０００７】
本考案自動車用装飾品は、自動車棒体を装飾することができ、特に装飾管とデザイン管を交換することで、自動車棒体が表現する風貌を変えることができ、しかもモジュール化生産が可能であるため、使用者は自分自身で取り外し、取り付けることができる。
【図面の簡単な説明】
【０００８】
【図１】本考案第一実施例の立体外観図である。
【図２】本考案第一実施例の立体分解図である。
【図３】本考案第一実施例の断面図である。
【図４】本考案第二実施例の立体外観図である。
【図５】本考案第二実施例の立体分解図である。
【図６】本考案第二実施例の断面図である。
【図７】本考案第二実施例デザイン管の異なる外観の見取り図である。
【図８】本考案第三実施例の立体外観図である。
【図９】本考案第三実施例の立体分解図である。
【図１０】本考案第三実施例の断面図である。
【図１１】本考案第四実施例の立体外観図である。
【図１２】本考案第四実施例の立体分解図である。
【図１３】本考案第四実施例の断面図である。
【考案を実施するための形態】
【０００９】
以下に図面を参照しながら本考案を実施するための最良の形態について詳細に説明する。
【００１０】
本考案第一実施例の立体外観図、及び立体分解図である図１、２に示すように、本考案自動車用装飾品の第一実施例は、装飾管１０、固定装置２０を備える。
【００１１】
装飾管１０は、管状構造体１１、管状構造体１１表面を包み、模様を備える表皮１２、表皮１２上に嵌設するアクセサリー１３を備える。
アクセサリー１３の背面部には、若干の嵌設柱１４を設置し、管状構造体１１は、嵌設柱１４に対応して、若干の嵌設孔１５を設置し、これにより、アクセサリー１３は、より良い定位効果を得ることができる。
【００１２】
固定装置２０は、頂点蓋２１、ボルト２２、底蓋２３、固定台２４、キャップ２５を備える。
頂点蓋２１とボルト２２は、装飾管１０頂点の端口に固定する頂点蓋ユニットを構成する。
底蓋２３、固定台２４、キャップ２５は、装飾管１０底部の端口に固定し、自動車棒体１００を挿して定位する底蓋ユニットを構成する。
【００１３】
図２、及び本考案第一実施例の断面図である図３に示すように、頂点蓋２１は、装飾管１０頂点の端口を覆い、底蓋２３は、装飾管１０底部の端口を覆う。
ボルト２２は、頂点蓋２１と底蓋２３との間に連接する。
固定台２４は、底蓋２３下方に設置し、固定槽２６を形成し、これにより、自動車棒体１００の端部を挿入して、定位することができる。
キャップ２５は、固定台２４下方の外縁に設置する。
【００１４】
自動車棒体１００端部を固定槽２６に挿入後、固定台２４上に螺設するネジ２００を利用し、径方向に、自動車棒体１００端部を圧迫し、或いは螺固することができる。
こうして固定の目的を達成し、続いて、キャップ２５を利用し、固定台２４下方の外縁を塞ぎ、これにより自動車棒体１００上に固定する自動車用装飾品の外観は、さらに美しくなる。
本実施例では、装飾管１０は、シフトレバーなどの自動車棒体１００の端部上に定位され、使用者が握って使用する時には、装飾管１０表面の飾り模様は、適当な滑り止め効果を提供することができる。
【００１５】
本考案第二実施例の立体外観図、及び立体分解図である図４、５に示すように、本実施例と第一実施例との差異は、以下の通りである。
第二実施例の自動車用装飾品は、装飾管１０、固定装置２０の他に、さらにデザイン管３０を備える。
デザイン管３０周囲には、若干の空洞部３１を備える。
【００１６】
図５、及び本考案第二実施例の断面図である図６に示すように、装飾管１０、固定装置２０は、第一実施例とほぼ相同で、デザイン管３０を、装飾管１０の外周に嵌めて設置する。
装飾管１０の装飾模様は、空洞部３１を通して外にのぞき、しかもデザイン管３０は、表面の適当な位置に、若干の光透過部品３２(水晶、クリスタルなど)、光反射部品３３(レーザー反射シールなど)を嵌設し、これによりデザイン管３０は、よりきらびやかなデザイン形態を呈する。
或いは、図７に示すように、デザイン管３０は、バネが取り巻いたようなデザインに成型し、これにより、全体の外観は、機械的、メタリックな風格を呈する。
【００１７】
上記の装飾管１０とデザイン管３０との対応により、自動車用装飾品は、多層の視角効果を呈することができ、さらには、自動車用装飾品表面に滑り止め効果を持たせることもできる。
加えて、本実施例では、装飾管１０、デザイン管３０を、シフトレバーなどの自動車棒体１００端部に定位することで、使用者が握る時に、デザイン管３０のデザインは、適当な滑り止め効果を提供することができる。
【００１８】
本考案第三実施例の立体外観図、及び立体分解図である図８、９に示すように、本実施例の自動車用装飾品は、装飾管１０、固定装置２０を備える。
本実施例が示す装飾管１０は、構造上、第一実施例とほぼ相同であるが、その差異は、本実施例の固定装置２０は、自動車棒体１００を貫通して設置する点である。
これにより、自動車用装飾品全体は、自動車棒体１００に嵌めて設置され、独特の装飾効果を発揮することができる。
この種の実施方式は、自動車用装飾品をヘッドレスト挿入棒上に嵌設し使用する際に、特に適している。
【００１９】
図９、及び本考案第三実施例の断面図である図１０に示すように、第三実施例の固定槽２０は、頂点蓋２１、上固定片２７、底蓋２３、下固定片２８を備える。
頂点蓋２１と上固定片２７は、装飾管１０頂点の端口に固定し、自動車棒体１００を通過させる頂点蓋ユニットを構成する。
底蓋２３と下固定片２８は、装飾管１０底部の端口に固定し、自動車棒体１００を通過させる底蓋ユニットを構成する。
【００２０】
頂点蓋２１は、装飾管１０頂点の端口を覆い、しかも中央には、上穿孔２１aを設置する。
上固定片２７は、頂点蓋２１内壁に嵌設し、しかも、上開口部２７aを備え、上穿孔２１aと対応する。
底蓋２３は、装飾管１０底部の端口を覆い、しかも中央には、下穿孔２３aを設置する。
下固定片２８は、底蓋２３内壁に嵌設し、しかも下開口部２８aを備え、下穿孔２３aと対応する。
【００２１】
自動車棒体１００が、上穿孔２１a、下穿孔２３a、上開口部２７a、下開口部２８aを同時に貫通すると、自動車用装飾品全体は、自動車棒体１００上に嵌められ、こうして自動車棒体１００を覆い、装飾する効果を発揮する。
上開口部２７aと下開口部２８aの設置により、上固定片２７、下固定片２８は、異なる口径の自動車棒体１００に対して、適当な挟持作用を生じる。
こうして、定位効果を備える他に、振動時には、上穿孔２１a、下穿孔２３aが、自動車棒体１００に衝突して、騒音を生じることを防止する。
【００２２】
本考案第四実施例の立体外観図、立体分解図である図１１、１２に示すように、上記した第三実施例との差異は、本第四実施例に示す自動車用装飾品は、装飾管１０、固定装置２０を備える他に、さらに周囲に若干の空洞部３１を備えるデザイン管３０を備える点である。
【００２３】
図１２、及び本考案第四実施例の断面図である図１３に示すように、図中に示すデザイン管３０は、装飾管１０の外周に嵌めて設置する。
これにより、デザイン管３０の装飾模様は、空洞部３１を通して外にのぞき、装飾管１０とデザイン管３０との対応により、自動車用装飾品は多層の視角効果を発揮することができる。
【００２４】
本考案各実施例に掲示する固定装置２０はすべて、使用者が自分自身で簡単に取り外し、取り付けが可能であるため、装飾管１０、デザイン管３０を非常に簡単に交換して、自動車用装飾品が表現する風貌を取替えることができる。
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案の要件である新規性を備え、従来の同類製品に比べ十分な進歩を有し、実用性が高く、社会のニーズに合致しており、産業上の利用価値は非常に大きい。
【符号の説明】
【００２６】
１０    装飾管
１１    管状構造体
１２    表皮
１３    アクセサリー
１４    嵌設柱
１５    嵌設孔
２０    固定装置
２１    頂点蓋
２１a  上穿孔
２２    ボルト
２３    底蓋
２３a  下穿孔
２４    固定台
２５    キャップ
２６    固定槽
２７    上固定片
２７a  上開口部
２８a  下開口部
２８    下固定片
３０    デザイン管
３１    空洞部
３２    光透過部品
３３    光反射部品
１００  自動車棒体
２００  ネジ
【図１】
0003152753.tif 000003
【図２】
0003152753.tif 000004
【図３】
0003152753.tif 000005
【図４】
0003152753.tif 000006
【図５】
0003152753.tif 000007
【図６】
0003152753.tif 000008
【図７】
0003152753.tif 000009
【図８】
0003152753.tif 000010
【図９】
0003152753.tif 000011
【図１０】
0003152753.tif 000012
【図１１】
0003152753.tif 000013
【図１２】
0003152753.tif 000014
【図１３】
0003152753.tif 000015